【手続補正書】
【提出日】平成30年9月21日(2018.9.21)
【手続補正１】
【補正対象書類名】特許請求の範囲
【補正対象項目名】全文
【補正方法】変更
【補正の内容】
【特許請求の範囲】
【請求項１】
一つまたは複数のプロセッサと、
メモリーと、
一つまたは複数のプログラムであって、前記メモリーに格納されるとともに、精神障害の治療を必要とする患者を治療するために前記一つまたは複数のプロセッサによって実行されるように構成されたプログラムとを含み、前記一つまたは複数のプログラムが、
治療セッションを行うための命令であって、前記治療セッションが、
ｉ）所定時間のあいだ、複数の表現画像中の各表現画像を順次表示し、前記複数の表現画像が複数の表現画像サブセットからなり、前記複数の表現画像中の各表現画像が、（ａ）一組の表現におけるそれぞれの表現に独立して関連付けられ、（ｂ）前記それぞれの表現の所定の強度を前記それぞれの表現の低強度から高強度までの範囲の強度スケールによって表示するかまたは示すように設計され、（ｃ）ヒト扁桃体の活性化を引き起こすように構成されていること、
ｉｉ）複数の表現画像中の各表現画像サブセットの完了に応答し、前記各表現画像サブセット中の最初と最後の表現画像が同じ感情を表しているかどうかについての問合せに対する患者からの反応を受け取り、前記複数の表現画像中の各表現画像サブセットが所定の整数であるＮ個の表現画像からなること、
ｉｉｉ）各表現画像サブセットについての問合せに対する前記反応に少なくとも部分的に基づいて、前記複数の表現画像中の各表現画像サブセットのスコアを決定すること、および、
ｉｖ）複数の前記スコアに少なくとも部分的に基づいて、前記Ｎの値を新たな正の整数値にリセットすることを含み、
前記治療セッションにおいて、前記複数の表現画像中の最初の表現画像サブセットの各画像の前記強度スケール上の前記各表現の前記所定の強度が、前記最初のサブセットの後に表示される第２の表現画像サブセットの前記複数の表現画像中の各画像の前記強度スケール上の前記各表現の前記所定の強度よりも大きいかまたは小さい治療セッションを行うための命令を含む、
コンピューティングシステム。
【請求項２】
前記ｉ）の順次表示すること、前記ｉｉ）の決定すること、前記ｉｉｉ）の受け取ること、および、前記ｉｖ）のリセットすることが治療セッション中に複数回繰り返される、請求項１に記載のコンピューティングシステム。
【請求項３】
前記一組の表現が、幸せ、心配、怒り、悲しみ、驚きおよび嫌悪のうちの一つまたは複数を含むサブセットからなる、請求項１に記載のコンピューティングシステム。
【請求項４】
前記精神障害が、ｉ）ＭＤＤであり、前記医薬組成物が選択的セロトニン再取り込み阻害剤（ＳＳＲＩ）、セロトニンノルエピネフリン再取り込み阻害剤（ＳＮＲＩ）、認知増強剤、ケタミン又はケタミン誘導体、非定型抗精神病薬、ベンゾジアゼピン、ブプロピオン、ラモトリジン、リチウム、モノアミンオキシダーゼ阻害剤、三環系抗うつ薬、バルプロ酸、ネファゾドン、トラゾドン、プラミペキソールまたはそれらの組み合わせであるか、ｉｉ）心的外傷後ストレス障害（ＰＴＳＤ）であり、前記医薬組成物がＳＳＲＩ、ＳＮＲＩ、認知増強剤、ケタミン又はケタミン誘導体、またはそれらの組み合わせであるか、ｉｉｉ）全般性不安障害であり、前記医薬組成物がＳＳＲＩ、ＳＮＲＩ、認知増強剤又はそれらの組み合わせであるか、ｉｖ）社会恐怖症であり、前記医薬組成物がＳＳＲＩ、ＳＮＲＩ、認知増強剤又はそれらの組み合わせであるか、ｖ）強迫性障害であり、前記医薬組成物がＳＳＲＩ、認知増強剤又はそれらの組み合わせであるか、ｖｉ）境界性人格障害であり、前記医薬組成物がＳＳＲＩ、ＳＮＲＩ、ケタミン又はケタミン誘導体、認知増強剤又はそれらの組み合わせであるか、ｖｉｉ）情動障害（ＡＤ）であり、前記ＡＤが、大うつ病性障害（ＭＤＤ）、心的外傷後ストレス障害（ＰＴＳＤ）、全般性不安障害、社会恐怖症、強迫性障害、治療抵抗性うつ病、または境界性人格障害であるうちの少なくとも一つである、請求項１に記載のコンピューティングシステム。
【請求項５】
前記所定時間が、０．２秒−１０秒の間である、請求項１に記載のコンピューティングシステム。
【請求項６】
前記Ｎのリセット値に少なくとも部分的に基づいて、前記患者に精神障害のための治療レジメンを処方することをさらに含み、前記処方することが、処方する臨床医による評価のためにリモートサーバーに前記スコアを伝えることを含む、請求項１に記載のコンピューティングシステム。
【請求項７】
前記ｉ）の表現画像を順次表示することが、前記複数の表現画像を格納するデータベースから前記複数の表現画像中の最初のサブセットを検索することを含み、前記データベースが前記複数の表現画像中の各表現画像のために、前記表現画像に関連する前記感情を格納する、請求項１に記載のコンピューティングシステム。
【請求項８】
前記複数の表現画像における各表現画像がグレースケール表示またはカラー表示される、請求項１に記載のコンピューティングシステム。
【請求項９】
前記複数のスコアが、前記各画像サブセットにおける最初と最後の感情が同じであるかどうかについての問合せに対する患者からの正しい反応の総数として決定される、請求項１に記載のコンピューティングシステム。
【請求項１０】
前記Ｎのリセットが、前記反応の総数と比較したときの、前記問合せに対する患者からの正しい反応の割合に少なくとも部分的に基づく、請求項２６に記載のコンピューティングシステム。
【請求項１１】
前記Ｎが、前記正しい反応の割合が第１閾値パーセンテージより大きいときにＮ＋１にリセットされ、前記正しい反応の割合が第２閾値パーセンテージ未満のときにＮ−１にリセットされ、前記正しい反応の割合が第１閾値パーセンテージと第２閾値パーセンテージの間にあるときはリセットされない、請求項２７に記載のコンピューティングシステム。
【請求項１２】
前記治療セッションが、患者のうつ病の症状を少なくとも１０％減少させる、請求項１に記載のコンピューティングシステム。
【請求項１３】
前記複数の表現画像中の少なくとも一つの表現画像が顔の表情である、請求項１に記載のコンピューティングシステム。
【請求項１４】
前記それぞれの表現の所定の強度が、前記治療セッションを通して、前記表示された表現画像の強度スケール上で低強度から高強度に増加するかまたは高強度から低強度に減少する、請求項１に記載のコンピューティングシステム。
【請求項１５】
一つまたは複数のプロセッサとメモリーとを備えたコンピューティングデバイスで実行するために構成された一つまたは複数のプログラムを記憶する非一時的なコンピュータ可読記憶媒体であって、前記一つまたは複数のプログラムが、
治療セッションを行うための命令であって、前記治療セッションが、
ｉ）所定時間のあいだ、複数の表現画像中の各表現画像を順次表示し、前記複数の表現画像が複数の表現画像サブセットからなり、前記複数の表現画像中の各表現画像が、（ａ）一組の表現におけるそれぞれの表現に独立して関連付けられ、（ｂ）前記それぞれの表現の所定の強度を前記それぞれの表現の低強度から高強度までの範囲の強度スケールによって表示するかまたは示すように設計され、（ｃ）ヒト扁桃体の活性化を引き起こすように構成されていること、
ｉｉ）複数の表現画像中の各表現画像サブセットの完了に応答し、前記各表現画像サブセット中の最初と最後の表現画像が同じ感情を表しているかどうかについての問合せに対する前記患者からの反応を受け取り、前記複数の表現画像中の各表現画像サブセットが所定の整数であるＮ個の表現画像からなること、
ｉｉｉ）各表現画像サブセットについての問合せに対する前記反応に少なくとも部分的に基づいて、前記複数の表現画像中の各表現画像サブセットのスコアを決定すること、および、
ｉｖ）複数の前記スコアに少なくとも部分的に基づいて、前記Ｎの値を新たな正の整数値にリセットすることを含み、
前記治療セッションにおいて、前記複数の表現画像中の最初の表現画像サブセットの各画像の前記強度スケール上の前記各表現の前記所定の強度が、前記最初のサブセットの後に表示される第２の表現画像サブセットの前記複数の表現画像中の各画像の前記強度スケール上の前記各表現の前記所定の強度よりも大きいかまたは小さい治療セッションを行うための命令を含む、
コンピュータ可読記憶媒体。
【請求項１６】
治療セッションを行うための方法であって、前記治療セッションが、
ｉ）１つまたは複数のプロセッサにより、所定時間のあいだ、複数の表現画像中の各表現画像を順次表示し、前記複数の表現画像が表現画像の複数のサブセットからなり、前記複数の表現画像中の各表現画像が、（ａ）一組の表現におけるそれぞれの表現に独立して関連付けられ、（ｂ）前記それぞれの表現の所定の強度を前記それぞれの表現の低強度から高強度までの範囲の強度スケールによって表示するかまたは示すように設計され、（ｃ）ヒト扁桃体の活性化を引き起こすように構成されていること、
ｉｉ）前記１つまたは複数のプロセッサにより、複数の表現画像中の各表現画像サブセットの完了に応答し、前記各表現画像サブセット中の最初と最後の表現画像が同じ感情を表しているかどうかについての問合せに対する前記患者からの反応を受け取り、前記複数の表現画像中の各表現画像サブセットが所定の整数であるＮ個の表現画像からなること、
ｉｉｉ）前記１つまたは複数のプロセッサにより、各表現画像サブセットについての問合せに対する前記反応に少なくとも部分的に基づいて、前記複数の表現画像中の各表現画像サブセットのスコアを決定すること、および、
ｉｖ）前記１つまたは複数のプロセッサにより、複数の前記スコアに少なくとも部分的に基づいて、前記Ｎの値を新たな正の整数値にリセットすることを含み、
前記治療セッションにおいて、前記複数の表現画像中の最初の表現画像サブセットの各画像の前記強度スケール上の前記各表現の前記所定の強度が、前記最初のサブセットの後に表示される第２の表現画像サブセットの前記複数の表現画像中の各画像の前記強度スケール上の前記各表現の前記所定の強度よりも大きいかまたは小さい、
方法。